(57)【特許請求の範囲】
【請求項１】
回転羽根とこの回転羽根を収納するケーシングとを備え、
上記ケーシングの出口部には、このケーシングの内側に向けて屈成したコレクタが設けてあり、
上記コレクタは、上記ケーシングの入口部に向って開口するリング状のミストの導入口と、この導入口の外側に位置するリング状のミストの集合空間とを有し、
上記ミストの導入口とミストの集合空間との間には、これらを隔てるようにリング状の仕切部が挿入してあり、
上記仕切部の下流端部とコレクタの内周面との間には、上記ミストの導入口と、ミストの集合空間とを連通させる軸方向間隔が設けてあり、
上記ミストの集合空間の下部位置にはドレンポートを備え、
上記コレクタは、上記回転羽根の回転遠心力によって上記ケーシングの内周面に付着して下流に移動するミストを上記導入口から取り入れて上記仕切部で区画された集合空間に集めて上記ドレンポートから排出する
ことを特徴とする軸流式ファン。
【請求項２】
回転羽根とこの回転羽根を収納するケーシングとを備え、
上記ケーシングには、上記回転羽根の下流位置おいて全周にわたって開口部が設けてあり、
上記ケーシングの外周には、上記開口部を覆うコレクタが設けてあり、
上記コレクタは、樋部とこの樋部の内部を形成するミストの集合空間とを有し、
上記集合空間の下部位置にはドレンポートを備え、
上記コレクタは、上記回転羽根の回転遠心力によって上記ケーシングの内周面に付着して下流に移動するミストを上記開口部から取り入れて上記ミストの集合空間に集めて上記ドレンポートから排出する
ことを特徴とする軸流式ファン。
【請求項３】
請求項２において、前記開口部の内側開口端は、導入板で覆われており、
上記導入板の上流側部は、上記ケーシングの内周面との間にミストの導入口を形成している
ことを特徴とする軸流式ファン。
【発明の詳細な説明】
【０００１】
【発明の属する技術分野】
本発明は、油煙等が多い工場の送風等に使用する、ケーシング付きの軸流式ファンに関する。
【０００２】
【従来の技術】
従来から機械工場や鋳物工場等において、換気あるいは作業空間や高温部品の冷却等に、送風流量が大きい軸流式ファンが多用されている。
【０００３】
【発明が解決しようとする課題】
ところが従来の軸流式ファンでは、次の問題があった。すなわち油煙や湯煙等のミストが発生する機械工場や鋳物工場等においては、空気と共に吸込んだこれらのミストが、軸流式ファンの回転遠心力によって、ケーシング内周面に付着する。そしてこの付着したミストが、ケーシング内周面上を後方に移動してケーシングの後端部に集積し、次第に水滴あるいは油滴に成長してケーシングから排出される。
【０００４】
この結果、ケーシングの後方に位置する床、器物あるいは作業員に油滴等が噴霧され、油汚れ等が生じることになり、洗浄負担が増大するだけでなく、滑り易いために作業の危険性が増し、製品等の品質にも大きな影響を与えてしまう。
【０００５】
一方従来から、油煙や湯煙等のミストが発生する工場等では、いわゆるミストコレクタと呼ばれる、ミスト収集除去装置が使用されている。このミストコレクタは、遠心式送風機で吸込んだ空気を、布製等のフィルター等で濾して、空気に含まれるミストを除去するものである。
【０００６】
しかし、遠心式送風機は送風量が少ないために、広い工場等の油煙や水煙等のミストを除去する場合には、長い時間が掛かるため、必ずしも効率的とはいえない。また、多量の油煙や水煙等のミストが発生する工場等では、多数のミストコレクタが必要となって、コストや設置スペースが嵩むことになる。
【０００７】
また従来から、送風機の空気取り入れ口に、いわゆるデミスタを取り付けて、油煙滴や水煙等のミストを除去する手段も使用されているが、空気流量が多い軸流式ファンに使用する場合には、除去するミストも多くなる。したがって圧力損失を押さえ、かつ、ミストを十分に取り除くためには、空気の通過面積を大きくする必要があり、大きなサイズのデミスタが必要になる。ところが、コストやスペースを考慮すると、１００％ミストを除去できるような、サイズの大きいデミスタの使用は、実質的に困難である。
【０００８】
このためデミスタだけでは、必ずしもミストを十分に取り除くことが困難となり、ミストの一部は、上述したように後流側のケーシングの内周面に付着し、徐々にケーシング後端部で滴化し、この滴化した水滴や油滴が流出空気と共に噴霧されることになる。
【０００９】
そこで本発明の目的は、ファン後流側のケーシング内周面に付着するミストを除去できる、軸流式ファンを提供することにある。
【００１０】
【発明を解決するための手段】
上記課題を解決すべく、本発明による軸流式ファンの第１の特徴は、回転羽根と、この回転羽根を収納するケーシングとを備え、このケーシングの出口部には、このケーシングの内側に向けて屈成したコレクタが設けてあることにある。このコレクタは、ケーシングの入口部に向って開口するリング状のミストの導入口と、この導入口の外側に位置するリング状のミストの集合空間とを備えている。またミストの導入口とミストの集合空間との間には、これらを隔てるようにリング状の仕切部が挿入してある。上記仕切部の下流端部とコレクタの内周面との間には、上記ミストの導入口と、ミストの集合空間とを連通させる軸方向間隔が設けてある。またこのミストの集合空間の下部位置には、ドレンポートを備えている。
【００１１】
そしてこのコレクタは、回転羽根の回転遠心力によってケーシングの内周面に付着して下流に移動するミストを、導入口から取り入れて仕切部で区画された集合空間に集め、ドレンポートから排出する。ここでコレクタには、断面形状が中空の円形である場合に限らず、中空であれば楕円形、多角形の断面形状の場合も含む。またコレクタは、ケーシングとは別の部品として屈成したものを、このケーシング後端部に連設する場合に限らず、ケーシング後端部自体を屈成して、コレクタとして使用する場合も含む。
【００１２】
このように発明を構成することにより、軸流式ファンに吸引され、回転羽根の回転遠心力によってケーシング内周面に付着した油煙等のミストは、回転羽根の風力によって、ケーシング内周面上を下流に移動し、ラム圧によりコレクタの導入口に取り入れられる。そして仕切部分で区画されたミストの集合空間に集まり、重力によって下方に移動し、ドレンポートから外部に排出される。
【００１３】
本発明による軸流式ファンの第２の特徴は、回転羽根とこの回転羽根を収納するケーシングとを備え、このケーシングには、回転羽根の下流位置おいて、全周にわたって開口部が設けてあることにある。このケーシングの外周には、開口部を覆うコレクタが設けてある。このコレクタは、樋部とこの樋部の内部を形成するミストの集合空間とを有し、このミストの集合空間の下部位置には、ドレンポートを備えている。そして、このコレクタは、回転羽根の回転遠心力によってケーシングの内周面に付着して下流に移動するミストを、開口部から取り入れてミストの集合空間に集め、ドレンポートから排出する。
【００１４】
ここでコレクタは、外周方向に突出する半円断面形状のミストの集合空間を有するものに限らず、半楕円あるいは矩形等の多角形断面形状のミストの集合空間を有するものも含む。また、ケーシングに形成した開口部は、円形穴に限らず、楕円、多角形の開口形状の穴も含む。さらに開口部は穴に限らず、ケーシングの全周にスリットを形成し、ケーシングを前後に分離する場合も含む。この場合には、ケーシングの前後は、コレクタにより連結する構成となる。
【００１５】
このように発明を構成することにより、上述したものと同様な作用効果を奏することができる。すなわち、回転羽根の遠心力によって、ケーシングの内周面に付着した油煙等のミストは、風力によって下流に移動し、ケーシングの全周にわたって形成した開口部から、ラム圧によってコレクタのミストの集合空間に流入する。そして重力によって下方に移動し、ドレンポートから外部に排出される。
【００１６】
本発明による軸流式ファンの第３の特徴は、前記特徴２に記載した開口部の内側開口端は、導入板で覆われていることにある。そして、この導入板の上流側部は、ケーシングの内周面との間にミストの導入口を形成している。
【００１７】
このように発明を構成することにより、ケーシングの内周面に付着して、下流に移動する油煙等のミストは、導入板の導入口から、強制的に開口部に取り入れられ、確実にコレクタの集合空間に集められる。
【００１８】
【発明の実施の形態】
図１〜図２に示す軸流式ファンは、単段の回転羽根１と、この回転羽根を収納するアルミ板金製の円筒形状からなるケーシング２とを備え、このケーシングの出口部の外周には、このケーシングの内側に向けて中空の円断面形状を形成するように屈成したアルミ板金製のコレクタ３が、ボルト３６によって連設してある。コレクタ３は、ケーシング２の内周面との間に、リング状に開口するミストの導入口３１と、この導入口の外側に位置するミストの集合空間３２とを有している。
【００１９】
ミストの導入口３１とミストの集合空間３２との間には、ケーシング２の出口端部を延長して、これらを隔てる仕切部３３が挿入してある。そして、仕切部３３の下流端部とコレクタ３の内周面との間には、ミストの導入口３１と、ミストの集合空間３２との連通を確保するための間隔３５が設けてある。またミストの集合空間３２の下部位置には、ドレンポート３４が設けてある。
【００２０】
なお、ケーシング２の入口部にはフランジ部２３が形成してあり、このフランジ部に金網フィルタを積層したデミスタ４が装着してある。またコレクタ３の内周には、半径の異なる平板の円形リングを同心状に複数配列した整流板５が装着してある。また、回転羽根１は、電気モーター６で駆動され、この電気モーターは、放射状に配列したストラット７により、ケーシング２の内周面に連設してある。
【００２１】
また、ドレンポート３４の開口部３４ａの面積は、回転羽根１の風速を考慮して適正な値に設定する。すなわち面積が大きすぎると、空気が過度に漏洩することになり、一方面積が小さすぎると、送風気流のラム圧によるコレクタ３内の圧力が抜け切らないので、ミスト８が、コレクタ３の導入口３１に流入し難くなる。
【００２２】
図３に他のコレクタの実施の形態を示す。コレクタ１０３は、アルミ板金製の円筒ケーシング１０２の出口部全周自体を、内側に折り曲げて、中空の半円断面を有するリング形状に形成したものである。またアルミ板金製のリング形状の仕切部１３３が、ボルト１３６によりケーシング１０２の内周面に連設してある。
【００２３】
そして、コレクタ１０３は、仕切部１３３の内周面との間に、リング状のミストの導入口１３１を形成し、この仕切部の外側には、ミストの集合空間１３２を形成している。なお仕切部１３３の下流端部と、コレクタ１０３の内周面との間には、ミストの導入口１３１と、ミストの集合空間１３２とを連通させる軸方向間隔１３５が設けてある。なお、その他の構成は、図１に示した軸流式ファンと同様である。
【００２４】
図４に示す軸流式ファンは、回転羽根２０１と、この回転羽根を収納するアルミ板金製の円筒ケーシング２０２とを備え、このケーシングには、この回転羽根の下流位置おいて、全周にわたって矩形断面形状の開口部２０９が設けてある。またケーシング２０２の外周には、開口部２０９を覆うコレクタ２０３が巻設してある。コレクタ２０３は、アルミ板金製の矩形断面形状の樋部２３７と、この樋部の内部を形成するミストの集合空間２３２とを有しており、このミストの集合空間の下部位置には、ドレンポート２３４を備えている。
【００２５】
開口部２０９の内側開口端は、アルミ板金製のリング形状からなる導入板２３８で覆われている。導入板２３８の上流側部２３８ａは、ケーシング２０２の内周面との間に、リング形状のミストの導入口２３１を形成している。導入板２３８の下流端部２３８ｂは、ケーシング２０２の内周面にボルト２３６によって取り付けてある。なおその他の構成は、図１に示した軸流式ファンと同様である。
【００２６】
なお、導入板２３８の下流端部２３８ｂの外周面は、開口部２０９の内側開口端の後縁２０９ａと密接させ、ミストが滞留する隙間空間を生じないように構成することが望ましい。
【００２７】
また図５に示すように、開口部３０９が矩形でなく、楕円形状のように後縁３０９ａが軸方向と直角でない場合には、この楕円形状の開口部を所定の軸方向幅分３０９ｂだけ覆うようにして、導入板３３８を取り付けることが望ましい。このように構成すれば、開口部３０９は導入板３３８に覆われて、後縁が軸方向と直角になるような開口部分３０９ｃが形成され、ケーシング３０２の内周面に付着した油滴等３０８が滞留する隙間空間の面積を、減少させることができる。
【００２８】
【発明の効果】
油煙等のミストが多量に発生する機械工場等で、換気や冷却等のために空気流量が多い軸流式ファンを使用する場合に、軸流式ファンのケーシングの内周面に付着した水滴や油滴が、流出空気と共に噴出することを防止できる。この結果、ケーシングの後方に位置する床、器物あるいは作業員への油滴等の付着が回避され、洗浄負担、作業の危険性、及び製品等の品質への影響を低減することができる。
【図面の簡単な説明】
【図１】  軸流式ファンの横断面図である。
【図２】  コレクタの拡大断面図である。
【図３】  他のコレクタの拡大断面図である。
【図４】  他の軸流式ファンの横断面図である。
【図５】  他の形状の開口部に対するコレクタの拡大断面図である。
【符号の説明】
１，２０１                      回転羽根
２，１０２，２０２，３０２      ケーシング
３，１０３，２０３，３０３      コレクタ
３１，１３１，２３１，３３１    ミストの導入口
３２，１３２，２３２，３３２    ミストの集合空間
３３，１３３                    仕切部
２３８，３３８                  導入板
２３７                          樋部
３４，２３４                    ドレンポート
４，２０４                      デミスタ
５，２０５                      整流板
６                              モーター
２０９，３０９                  開口部
２０９ｄ，３０９ｄ              内側開口端
【図１】
0003954854.tif 000002
【図２】
0003954854.tif 000003
【図３】
0003954854.tif 000004
【図４】
0003954854.tif 000005
【図５】
0003954854.tif 000006